(57)【要約】【課題】複数の共用部装置の何れと優先的に通話するかを住戸人が容易に選択可能とする。【解決手段】一方のロビーインターホン１Ａと通話している住戸機２が別のロビーインターホン１Ｂから選択（呼出）された場合に、当該住戸機２では先のロビーインターホン１Ａとの通話を継続したままで後のロビーインターホン１Ｂから伝送される映像をモニタ２２に表示して確認することができる。したがって、先のロビーインターホン１Ａと後のロビーインターホン１Ｂの何れと優先的に通話するかを住戸人が容易に選択できるとともに、複数のロビーインターホン１Ａ，１Ｂとそれぞれ通信路を確立したままで択一的に通話することができて利便性が向上する。【選択図】図１
2007150616.tif 000002
【特許請求の範囲】
【請求項１】
集合住宅の共用玄関に設置され音声の入出力並びにカメラで撮像した映像の出力が可能な複数の共用部装置と、集合住宅の各住戸にそれぞれ設置され複数の共用部装置とは各々伝送線路を介して接続されるとともに共用部装置が有する選択手段を来訪者が操作することにより選択されると少なくとも何れか一方の共用部装置との間で通信路を確立する複数台の住戸機とを備え、
伝送線路は、共用部装置に接続された幹線と各住戸機に接続された住戸別線とを含み、幹線および住戸別線は、少なくとも選択手段の操作に伴って発生し通話の開始を指示する制御信号を伝送する制御線と、音声信号と映像信号を周波数分割多重化して各共用部装置との間で伝送する複数の信号線とからなり、
住戸機は、各信号線を介して伝送する音声信号と映像信号を分離する複数の映像／音声分離手段と、各信号線との接続を開閉するスイッチ手段と、各共用部装置との間で信号線を介して伝送される音声信号により通話を行う通話手段と、各共用部装置から信号線を介して伝送される映像信号により映像を表示する表示手段と、スイッチ手段を制御して各信号線との接続状態を個別に開閉させる制御手段とを備え、
該制御手段は、一の共用部装置との間で信号線を介して音声信号並びに映像信号を伝送しているときに他の共用部装置から制御線を介して伝送される前記制御信号を受信した場合にスイッチ手段を制御して当該他の共用部装置との間で通信路を確立するとともに信号線を介して当該他の共用部装置から伝送される映像信号による映像を表示手段に表示させることを特徴とする集合住宅用インターホンシステム。
【請求項２】
前記制御手段は、一の共用部装置との間で信号線を介して音声信号並びに映像信号を伝送しているときに他の共用部装置から制御線を介して伝送される前記制御信号を受信した場合に、先に通話していた共用部装置との間に通信路を確立したままでスイッチ手段を制御して前記制御信号を送信した共用部装置との間に通信路を確立することを特徴とする請求項１記載の集合住宅用インターホンシステム。
【請求項３】
同一の住戸内に設置され住戸機との間に通信路を確立することにより当該住戸機を介して共用部装置との通話並びに共用部装置のカメラで撮像した映像の表示が可能な１乃至複数の副住戸機を備え、
前記制御手段は、一の共用部装置との間で信号線を介して音声信号並びに映像信号を伝送しているときに他の共用部装置から制御線を介して伝送される前記制御信号を受信した場合に、当該他の共用部装置と副住戸機との間に通信路を確立することを特徴とする請求項１記載の集合住宅用インターホンシステム。
【請求項４】
住戸機は、共用部装置との間で伝送される音声信号並びに映像信号を記録する録音手段及び録画手段を備え、
前記制御手段は、一の共用部装置との間で信号線を介して音声信号並びに映像信号を伝送しているときに他の共用部装置から制御線を介して伝送される前記制御信号を受信した場合に、前記一の共用部装置又は前記他の共用部装置から伝送される音声信号及び映像信号をそれぞれ録音手段並びに録画手段に記録させることを特徴とする請求項１記載の集合住宅用インターホンシステム。
【請求項５】
前記制御手段は、一の共用部装置との間で信号線を介して音声信号並びに映像信号を伝送しているときに他の共用部装置から制御線を介して伝送される前記制御信号を受信した場合に、予め決められた優先順位の高い方の共用部装置との間で通話手段による通話を可能とすることを特徴とする請求項１記載の集合住宅用インターホンシステム。
【発明の詳細な説明】
【技術分野】
【０００１】
本発明は、集合住宅の共用玄関に設置されカメラを備える複数の共用部装置を備え、何れかの共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用インターホンシステムに関するものである。
【背景技術】
【０００２】
従来、集合住宅の共用玄関に設置されカメラを備える複数の共用部装置を備え、何れかの共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用インターホンシステムが提供されている（例えば、特許文献１参照）。特許文献１に記載されている従来例においては、複数の共用部装置がそれぞれ別の通信路を使って互いに異なる住戸機と同時に通話が可能となっている。
【特許文献１】特開２００５−２６０３５９号公報
【発明の開示】
【発明が解決しようとする課題】
【０００３】
しかしながら、上記従来例においては、複数の共用部装置が同じ住戸機と通話しようとしても、先に通話している共用部装置と住戸機との間で通信路が確立されているため、後から通話しようとする共用部装置とは通話並びに映像表示ができず、住戸機を使って通話している住戸人が何れの共用部装置との通話を優先するかを選択することができなかった。
【０００４】
本発明は上記事情に鑑みて為されたものであり、その目的は、複数の共用部装置の何れと優先的に通話するかを住戸人が容易に選択できる集合住宅用インターホンシステムを提供することにある。
【課題を解決するための手段】
【０００５】
請求項１の発明は、上記目的を達成するために、集合住宅の共用玄関に設置され音声の入出力並びにカメラで撮像した映像の出力が可能な複数の共用部装置と、集合住宅の各住戸にそれぞれ設置され複数の共用部装置とは各々伝送線路を介して接続されるとともに共用部装置が有する選択手段を来訪者が操作することにより選択されると少なくとも何れか一方の共用部装置との間で通信路を確立する複数台の住戸機とを備え、伝送線路は、共用部装置に接続された幹線と各住戸機に接続された住戸別線とを含み、幹線および住戸別線は、少なくとも選択手段の操作に伴って発生し通話の開始を指示する制御信号を伝送する制御線と、音声信号と映像信号を周波数分割多重化して各共用部装置との間で伝送する複数の信号線とからなり、住戸機は、各信号線を介して伝送する音声信号と映像信号を分離する複数の映像／音声分離手段と、各信号線との接続を開閉するスイッチ手段と、各共用部装置との間で信号線を介して伝送される音声信号により通話を行う通話手段と、各共用部装置から信号線を介して伝送される映像信号により映像を表示する表示手段と、スイッチ手段を制御して各信号線との接続状態を個別に開閉させる制御手段とを備え、該制御手段は、一の共用部装置との間で信号線を介して音声信号並びに映像信号を伝送しているときに他の共用部装置から制御線を介して伝送される前記制御信号を受信した場合にスイッチ手段を制御して当該他の共用部装置との間で通信路を確立するとともに信号線を介して当該他の共用部装置から伝送される映像信号による映像を表示手段に表示させることを特徴とする。
【０００６】
請求項２の発明は、請求項１の発明において、前記制御手段は、一の共用部装置との間で信号線を介して音声信号並びに映像信号を伝送しているときに他の共用部装置から制御線を介して伝送される前記制御信号を受信した場合に、先に通話していた共用部装置との間に通信路を確立したままでスイッチ手段を制御して前記制御信号を送信した共用部装置との間に通信路を確立することを特徴とする。
【０００７】
請求項３の発明は、請求項１の発明において、同一の住戸内に設置され住戸機との間に通信路を確立することにより当該住戸機を介して共用部装置との通話並びに共用部装置のカメラで撮像した映像の表示が可能な１乃至複数の副住戸機を備え、前記制御手段は、一の共用部装置との間で信号線を介して音声信号並びに映像信号を伝送しているときに他の共用部装置から制御線を介して伝送される前記制御信号を受信した場合に、当該他の共用部装置と副住戸機との間に通信路を確立することを特徴とする。
【０００８】
請求項４の発明は、請求項１の発明において、住戸機は、共用部装置との間で伝送される音声信号並びに映像信号を記録する録音手段及び録画手段を備え、前記制御手段は、一の共用部装置との間で信号線を介して音声信号並びに映像信号を伝送しているときに他の共用部装置から制御線を介して伝送される前記制御信号を受信した場合に、前記一の共用部装置又は前記他の共用部装置から伝送される音声信号及び映像信号をそれぞれ録音手段並びに録画手段に記録させることを特徴とする。
【０００９】
請求項５の発明は、請求項１の発明において、前記制御手段は、一の共用部装置との間で信号線を介して音声信号並びに映像信号を伝送しているときに他の共用部装置から制御線を介して伝送される前記制御信号を受信した場合に、予め決められた優先順位の高い方の共用部装置との間で通話手段による通話を可能とすることを特徴とする。
【発明の効果】
【００１０】
請求項１の発明によれば、一の共用部装置と通話している住戸機が別の共用部装置から選択された場合に、当該住戸機では先の共用部装置との通話を継続したままで後の共用部装置から伝送される映像を表示手段に表示して確認することができるから、先の共用部装置と後の共用部装置の何れと優先的に通話するかを住戸人が容易に選択できる。
【００１１】
請求項２の発明によれば、複数の共用部装置とそれぞれ通信路を確立したままで択一的に通話することができて利便性が向上する。
【００１２】
請求項３の発明によれば、副住戸機でも共用部装置との通話が可能となって利便性が向上する。
【００１３】
請求項４の発明によれば、選択されなかった共用部装置からの音声信号及び映像信号を録音手段と録画手段にそれぞれ記録するので、記録した音声並びに映像を後で確認できて利便性が向上する。
【００１４】
請求項５の発明によれば、複数の共用部装置との通話が時間的に重なった場合に予め決められた優先順位の高い方の共用部装置との通話が自動的に選択されるため、利便性及び安全性が向上する。
【発明を実施するための最良の形態】
【００１５】
以下、図面を参照して本発明の実施形態を詳細に説明する。
【００１６】
本実施形態のシステム構成例を図１に示す。本実施形態では、集合住宅の共用玄関に設置される複数の共用部装置（ロビーインターホン）１Ａ，１Ｂと、各住戸にそれぞれ配置される複数台の住戸機２とを備え、ロビーインターホン１Ａ，１Ｂと住戸機２とが伝送線路を介して接続されている。伝送線路は、映像制御盤３並びに警報監視盤５を介してロビーインターホン１Ａ，１Ｂに接続される幹線Ｌ１と、各住戸機２にそれぞれ接続される住戸別線Ｌ２とを含み、幹線Ｌ１と各住戸別線Ｌ２との間にはそれぞれ分岐器７が介装される。
【００１７】
伝送線路は、幹線Ｌ１と、幹線Ｌ１から分岐されて各住戸機２にそれぞれ接続される住戸別線Ｌ２とを含む。この伝送線路としては、２対以上のペア線をシース内に備える多対ツイストペアケーブルを用いており、ロビーインターホン１Ａ，１Ｂと住戸機２との間で、ロビーインターホン１Ａ，１Ｂが具備するカメラ（図示せず）で撮像された映像信号と音声信号とをそれぞれ多重伝送する信号線Ｌｄ1，Ｌｄ2と、ロビーインターホン１Ａ，１Ｂが有する選択手段（後述する）により選択された住戸機２を指定する制御信号を伝送する制御線Ｌｃとにそれぞれペア線を用いている。つまり、図示例の伝送線路では３対のペア線を用いている。ここで、信号線Ｌｄ1，Ｌｄ2を介して伝送される映像信号はロビーインターホン１Ａ，１Ｂにおいて周波数変調され、周波数変調された映像信号（以下、「ＦＭ映像信号」と呼ぶ）と音声信号とは周波数帯域が異なるから（音声信号に対してＦＭ映像信号は周波数が十分に高い）、周波数分割多重化の技術によって多重化することができる。そして、信号線Ｌｄ1，Ｌｄ2を介して音声信号と多重化されて伝送されるＦＭ映像信号が、後述するように各住戸機２に設けた映像／音声多重分離部２０１1，２０１2で分離された後にＦＭ復調部２５1，２５2で周波数復調されてモニタ２２に表示される。
【００１８】
ロビーインターホン１Ａ，１Ｂは、音声を入出力するマイクロホン及びスピーカと、来訪者を撮像するカメラと、カメラから出力する映像信号を周波数変調するＦＭ変調回路と、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１Ａ，１Ｂには通話線Ｌａ及び制御線Ｌｃを介して警報監視盤５が接続されており、ロビーインターホン１Ａ，１Ｂで選択された住戸番号が制御線Ｌｃを介して警報監視盤５に伝送されると、警報監視盤５が当該住戸番号に対応する住戸機２に対して制御線Ｌｃを介して制御信号（呼出コマンド）を送出する。またロビーインターホン１Ａ，１Ｂから警報監視盤５を経由する通話線Ｌａを介して伝送される音声信号と、ロビーインターホン１Ａ，１Ｂから映像線Ｌｂ1，Ｌｂ2を介して伝送されるＦＭ映像信号とを多重化する機能を持った映像制御盤３がロビーインターホン１Ａ，１Ｂと各住戸機２との間に設けられる。
【００１９】
一方、住戸機２は、図２に示すように音声を入出力するマイクロホン２１ａ及びスピーカ２１ｂを備え、マイクロホン２１ａとスピーカ２１ｂは通話回路部２４ｃに接続されている。ここで、上述のように音声信号と映像信号との両方で信号線Ｌｄ1，Ｌｄ2を用いるために、映像制御盤３及び住戸機２にはそれぞれ映像／音声多重分離部２０１1，２０１2を設けている。映像制御盤３と住戸機２とにそれぞれ用いている映像／音声多重分離部は同構成であって、通話回路部２４ｃと信号線Ｌｄ1，Ｌｄ2との間に挿入される低周波通過部(図示せず)と、結合トランスと信号線Ｌｄ1，Ｌｄ2との間に挿入される高周波通過部(図示せず)とからなる（但し、映像制御盤３については図示を省略する。）。低周波通過部は音声信号に対して低インピーダンスであって映像信号に対して高インピーダンスのもの（例えば、インダクタ）を用い、高周波通過部は音声信号に対して高インピーダンスであって映像信号に対して低インピーダンスのもの（例えば、コンデンサ）を用いる。通話回路部２４ｃは、２線の信号線Ｌｄ1，Ｌｄ2とマイクロホン２１ａ及びスピーカ２１ｂの入力線及び出力線とを２線４線変換する回路を含み、マイクロホン２１ａから入力される音声信号を映像／音声多重分離部２０１1，２０１2を介して信号線Ｌｄ1，Ｌｄ2に送出し、映像／音声多重分離部２０１1，２０１2で分離された信号線Ｌｄ1，Ｌｄ2からの音声信号をスピーカ２１ｂ側に出力する機能を備えている。したがって、ロビーインターホン１Ａ，１Ｂと住戸機２との間で信号線Ｌｄ1，Ｌｄ2を通して音声信号を授受することができ、来訪者がロビーインターホン１Ａ又は１Ｂを用いるとともに住戸人が住戸機２を用いることによって、来訪者と住戸人との間で音声通話が可能となる。
【００２０】
住戸機２に設けた通話回路部２４ｃには、子器接続部２３及び子器接続線Ｌ３を介してドアホン子器６が接続される。ドアホン子器６は集合住宅の各住戸の玄関先に配置されるものであってマイクロホンおよびスピーカを備え、子器接続部２３はドアホン子器６との通話のための音声双方向増幅回路や通話回路部２４ｃを接続するための開閉路回路などを備える。したがって、ドアホン子器６と住戸機２との間での通話が可能になっている。また、ドアホン子器６には呼出釦が設けられ、子器接続部２３ではドアホン子器６での呼出釦の操作時に呼出音を通話回路部２４ｃに入力して、スピーカ２１ｂから送出させる機能も備える。
【００２１】
住戸機２において、モニタ２２には液晶表示器あるいはＣＲＴが用いられる。信号線Ｌｄ1，Ｌｄ2を通して住戸機２に入力されるＦＭ映像信号は、映像／音声多重分離部２０１1，２０１2で分離された後にＦＭ復調部２５1，２５2において周波数復調される。ＦＭ復調部２５1，２５2から出力された映像信号は、モニタ２２に入力されることによってモニタ２２の画面に映像を表示する。つまり、ロビーインターホン１Ａ，１Ｂのカメラにおいて撮像された来訪者の映像が住戸機２のモニタ２２に表示されるから、住戸内の住戸人が来訪者を確認することができるのである。
【００２２】
住戸機２には内部回路を制御するＣＰＵ２０が設けられ、ＣＰＵ２０には制御線Ｌｃとのインタフェースとなる制御信号送受信部２６が接続される。制御信号送受信部２６は、ＣＰＵ２０から出力された制御信号を制御線Ｌｃに送出し、制御線Ｌｃから受信した制御信号をＣＰＵ２０に引き渡す機能を有する。また、ＣＰＵ２０には、住戸人によって操作される応答釦等の操作釦を具備し、それらの操作釦が操作されたときに操作信号を出力する操作部２７が接続されている。なお、住戸機２の内部電源（直流電源）は、図示しない電源回路によって商用電源（交流１００Ｖ）から作成される。
【００２３】
ここで、制御線Ｌｃについては、幹線Ｌ１と住戸別線Ｌ２とが分岐器７内において直結されている。したがって、警報監視盤５から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１Ａ，１Ｂにおいてアドレスを選択することによって、アドレスを指定する制御信号（呼出コマンド）が警報監視盤５から制御線Ｌｃを介して全ての住戸機２に伝送することが可能になっている。住戸機２のＣＰＵ２０は、制御信号に含まれるアドレスが自己のアドレスであれば、住戸別線Ｌ２の信号線Ｌｄ1，Ｌｄ2における幹線Ｌ１と映像／音声多重分離部２０１1，２０１2との間に挿入された住戸機リレーのリレー接点２９1，２９2を閉成してロビーインターホン１Ａ，１Ｂとの間に通信路を確立するとともに、ＦＭ復調部２５1，２５2やモニタ２２を起動してロビーインターホン１Ａ，１Ｂのカメラにおいて撮像された来訪者の映像を住戸機２のモニタ２２に表示させ、さらに通話回路部２４ｃを通じてスピーカ２１ｂから呼出音を送出させるように構成されている。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
【００２４】
ところで、本実施形態における住戸機２は、複数（図示例では２台）のロビーインターホン１Ａ，１Ｂに対応してそれぞれ複数（図示例では２つ）の映像／音声多重分離部２０１1，２０１2とＦＭ復調部２５1，２５2とを備えているが、通話回路部２４ｃ並びにモニタ２２を一つずつしか備えていないことから、２つの映像／音声多重分離部２０１1，２０１2とＦＭ復調部２５1，２５2をそれぞれ択一的に通話回路部２４ｃあるいはモニタ２２と接続するために多数の切替部が設けられている。
【００２５】
第１切替部２０２は一方の映像／音声多重分離部２０１1と通話回路部２４ｃとの間に設けられ、第２切替部２０３は他方の映像／音声多重分離部２０１2と第１切替部２０２との間に設けられる。第１切替部２０２によって、通話回路部２４ｃが一方の映像／音声多重分離部２０１1と第２切替部２０３とに択一的に切り替えて接続され、第１及び第２切替部２０２，２０３によって、他方の映像／音声多重分離部２０１2が通話回路部２４ｃに接続される状態と第３切替部２０４に接続される状態とが択一的に切り替えられる。第３切替部２０４は第２切替部２０３と第４切替部２０５との間に挿入され、第２切替部２０３を第４切替部２０５に接続する状態と接続しない状態（以下、保留状態と呼ぶ。）とに択一的に切り替える。第４切替部２０５は第３切替部２０４を録音部２２０と映像／音声多重分離部２２１（後述する）に択一的に切り替えて接続する。録音部２２０は、第４切替部２０５を介して入力する音声信号を記録（録音）する機能を有するとともに記録した音声信号をスピーカ２１ｂに出力する機能を有する。
【００２６】
第５切替部２０６は一方のＦＭ復調部２５1とモニタ２２との間に設けられ、第６切替部２０７は他方のＦＭ復調部２５2と第５切替部２０６との間に設けられる。第５切替部２０６によって、モニタ２２が一方のＦＭ復調部２５1と第６切替部２０７とに択一的に切り替えて接続され、第５及び第６切替部２０６，２０７によって、他方のＦＭ復調部２５2がモニタ２２に接続される状態と第７切替部２０８に接続される状態とが択一的に切り替えられる。第７切替部２０８は第６切替部２０７と第８切替部２０９との間に挿入され、第６切替部２０７を第８切替部２０９に接続する状態と接続しない状態（以下、保留状態と呼ぶ。）とに択一的に切り替える。第８切替部２０９は第７切替部２０８を録画部２２２と映像／音声多重分離部２２１に択一的に切り替えて接続する。録画部２２２は、第８切替部２０９を介して入力する映像信号を記録（録画）する機能を有するとともに記録した映像信号をモニタ２２に出力する機能を有する。映像／音声多重分離部２２１は、第４切替部２０５を介して入力する音声信号と第８切替部２０９を介して入力する映像信号を多重化して副住戸機接続線Ｌ４に出力する機能と、副住戸機接続線Ｌ４を介して副住戸機８から伝送される周波数分割多重化された音声信号と映像信号を分離する機能とを有する。副住戸機８は、住戸内において住戸機２と別の場所に設置されて副住戸機接続線Ｌ４により住戸機２と接続され、住戸機２を介して住戸別線Ｌ２に接続されることでロビーインターホン１Ａ，１Ｂとの通話並びにロビーインターホン１Ａ，１Ｂで撮像された映像の表示が可能である。但し、副住戸機８の構成は基本的に住戸機２と共通であるから、詳細についての図示並びに説明は省略する。
【００２７】
次に本実施形態の動作を説明する。まず、何れか一方のロビーインターホン（例えば、ロビーインターホン１Ａ）と、１台の住戸機２との間で通話する場合について説明する。ロビーインターホン１Ａで選択された住戸機２に対して警報監視盤５から制御線Ｌｃを介して制御信号（呼出コマンド）が伝送され、この制御信号に含まれるアドレスが一致した住戸機２では、ＣＰＵ２０が呼出コマンドに応じて住戸機リレーのリレー接点２９1を閉成するとともにＦＭ復調部２５1やモニタ２２を起動し、また第５切替部２０６を切り替えてモニタ２２とＦＭ復調部２５1を接続してロビーインターホン１Ａのカメラにおいて撮像された来訪者の映像を住戸機２のモニタ２２に表示させ、さらに通話回路部２４ｃを通じてスピーカ２１ｂから呼出音を送出させる。そして、ロビーインターホン１Ａからの呼出に応答して住戸人が住戸機２の操作部２７が有する応答釦（図示せず）を押操作すると、住戸機２のＣＰＵ２０が第１切替部２０２を切り替えて通話回路部２４ｃと映像／音声多重分離部２０１1を接続するとともに通話回路部２４ｃを動作させて通話可能な状態とする。このとき、他方のリレー接点部２９2は開成されたままである。一方、ロビーインターホン１Ａに選択されなかった住戸機２では、ＣＰＵ２０が住戸機リレーのリレー接点２９1，２９2を閉成しないから、結局、ロビーインターホン１Ａに選択された住戸機２とロビーインターホン１Ａとの間でのみ通信路が確立されて通話並びに映像の表示が可能となる。なお、他方のロビーインターホン１Ｂと何れか１台の住戸機２とで通話する場合も同様であるから説明は省略する。
【００２８】
続いて、一方のロビーインターホン１Ａと通話中である住戸機２が他方のロビーインターホン１Ｂによって選択された場合の動作を説明する。ロビーインターホン１Ｂで選択された住戸機２（ロビーインターホン１Ａと通話中の住戸機２）に対して警報監視盤５から制御線Ｌｃを介して制御信号（呼出コマンド）が伝送されると、当該住戸機２では、ＣＰＵ２０が制御信号（呼出コマンド）に応じて住戸機リレーのリレー接点２９2を閉成するとともにＦＭ復調部２５2を起動し、また第５切替部２０６並びに第６切替部２０７を切り替えてモニタ２２とＦＭ復調部２５2を接続してロビーインターホン１Ｂのカメラにおいて撮像された来訪者の映像を住戸機２のモニタ２２に表示させる。つまり、ロビーインターホン１Ａと通話中であった住戸人は、後から呼出をしてきたロビーインターホン１Ｂのカメラで撮像されモニタ２２に表示された映像によって別の来訪者を確認することができる。そして、住戸人が後の来訪者と通話するために操作部２７の応答釦を押操作すれば、ＣＰＵ２０は、リレー接点部２９1を閉成したままで第１切替部２０２並びに第２切替部２０３を切り替えて映像／音声多重分離部２０１2を通話回路部２４ｃに接続し、ロビーインターホン１Ｂとの間に通信路が確立されて通話が可能となる。
【００２９】
一方、別の住戸人が副住戸機８を使って後の来訪者と通話することもできる。図示は省略しているが、住戸機２と副住戸機８とは制御信号線で接続されており、ロビーインターホン１Ａ，１Ｂから選択されて制御信号（呼出コマンド）を受け取った住戸機２のＣＰＵ２０は、住戸内の副住戸機８に対して呼出コマンドを制御信号線を介して転送し、副住戸機８においても呼出音を鳴動させる。そして、呼出音に応じて副住戸機８の応答釦が押操作されると副住戸機８から住戸機２のＣＰＵ２０へ制御信号線を介して制御信号（応答コマンド）が返送され、この返送コマンドに応じて住戸機２のＣＰＵ２０が第２〜第４切替部２０３〜２０５並びに第６〜第８切替部２０７〜２０９を制御して映像／音声多重分離部２０１2及びＦＭ復調部２５2と映像／音声多重分離部２２１を接続すれば、副住戸機接続線Ｌ４並びに住戸別線Ｌ２を介して副住戸機８とロビーインターホン１Ｂとの間に通信路が確立されて通話並びに映像の表示が可能となる。
【００３０】
また、先のロビーインターホン１Ａとの通話を継続する場合において、後のロビーインターホン１Ｂから伝送されてくる音声信号を録音部２２０に録音するとともに映像信号を録画部２２２に録画することも可能である。すなわち、住戸人が操作部２７の操作釦を操作して録画録音モードが選択されると、ＣＰＵ２０は第２〜第４切替部２０３〜２０５を切り替えて映像／音声多重分離部２０１2を録音部２２０に接続してロビーインターホン１Ｂから伝送されてくる音声信号を録音部２２０で録音し、さらに第６〜第８切替部２０７〜２０９を切り替えてＦＭ復調部２５2を録画部２２２に接続してロビーインターホン１Ｂから伝送されてくる映像信号を録画部２２２で録画する。なお、録音部２２０に録音された音声信号並びに録画部２２２に録画された映像信号は、操作部２７の操作釦を操作することでスピーカ２１ｂ並びにモニタ２２でそれぞれ再生することができる。
【００３１】
而して本実施形態によれば、一方のロビーインターホン１Ａと通話している住戸機２が別のロビーインターホン１Ｂから選択（呼出）された場合に、当該住戸機２では先のロビーインターホン１Ａとの通話を継続したままで後のロビーインターホン１Ｂから伝送される映像をモニタ２２に表示して確認することができるから、先のロビーインターホン１Ａと後のロビーインターホン１Ｂの何れと優先的に通話するかを住戸人が容易に選択できるとともに、複数のロビーインターホン１Ａ，１Ｂとそれぞれ通信路を確立したままで択一的に通話することができて利便性が向上する。また、住戸内に設置されている副住戸機８でもロビーインターホン１Ａ，１Ｂとの通話が可能であり、さらに、ロビーインターホン１Ｂからの音声信号及び映像信号を録音部２２０と録画部２２２にそれぞれ記録するので、記録した音声並びに映像を後で確認できて利便性が向上するという利点がある。
【００３２】
ところで、複数のロビーインターホン１Ａ，１Ｂのうちで一方（例えば、ロビーインターホン１Ａ）は主に通常の来訪者が使用し、他方（例えば、ロビーインターホン１Ｂ）は主に緊急の要件の来訪者（救急隊員や消防隊員あるいは警察官など）が使用するとした場合、後者のロビーインターホン１Ｂを前者のロビーインターホン１Ａよりも優先順位を高く設定してＣＰＵ２０のメモリ（図示せず）に記録しておき、上述のように一方のロビーインターホン１Ａとの通話中に他方のロビーインターホン１Ｂから呼出を受けたときに前記優先順位に従ってＣＰＵ２０が自動的にロビーインターホン１Ｂとの通話を選択する構成とすれば、利便性だけでなく安全性の向上が図れるという利点がある。
【００３３】
なお、本実施形態ではロビーインターホン１Ａ，１Ｂを２台として説明したが、これに限定する趣旨ではなく３台以上のロビーインターホン１を設けても構わない。
【図面の簡単な説明】
【００３４】
【図１】本発明の実施形態を示すシステム構成図である。
【図２】同上における住戸機のブロック図である。
【符号の説明】
【００３５】
１Ａ，１Ｂ  ロビーインターホン（共用部装置）
２  住戸機
Ｌ１  幹線
Ｌ２  住戸別線
Ｌｄ1，Ｌｄ2  信号線
Ｌｃ  制御線
【図１】
2007150616.tif 000003
【図２】
2007150616.tif 000004